Podtech/llm-jp-corpus-v4-ja_patent huggingface dataset:
(57)【要約】【課題】灯油用ポリタンク内に浮揚体を浮かせ油量をより見やすくする。【解決手段】本考案は灯油用ポリタンク本体１内に濃厚な色と浮力を持たせた浮揚体２を浮かせて浮揚体２の上下の位置と濃厚な色によって油量の多少を簡便に知ることに役立つ。【選択図】図１
0003111555.tif 000002
【実用新案登録請求の範囲】
【請求項１】
灯油用ポリタンク内に用いる灯油より比重が軽く浮力を持ち、暗色系の濃厚な色を有し灯油用ポリタンク内壁に密着する方向に弾性を備えたリング状体の浮揚体を灯油用ポリタンク内に配設することにより灯油油面の位置を外から目視するように形成されたことを特徴とする灯油ポリタンク用浮揚体。
【請求項２】
前記灯油ポリタンク用浮揚体は、前記灯油用ポリタンクの口より折り曲げて投入されて配設されることを特徴とする請求項１に記載した灯油ポリタンク用浮揚体。
【考案の詳細な説明】
【技術分野】
【０００１】  本考案は灯油用ポリタンク内の灯油の量を見やすくするために用いる浮揚体に関するものである。
【背景技術】
【０００２】  灯油は赤色などの不透明樹脂のポリタンクなどに入っていた。
【考案の開示】
【考案が解決しようとする課題】
【０００３】  灯油用ポリタンクは赤色などの不透明樹脂で出来ており、灯油自体は透明であるので、ポリタンクの外からはどの位灯油があるかよくよく見ないとわかりにくかった。そのためタンクをゆすって音を聞いて大体の残量を推測するか持ち上げて残量を推測するなど大変不便であった。
【課題を解決するための手段】
【０００４】  本考案はポリタンク内の灯油の油面に暗色系の濃厚な色、例えば黒色などのポリエチレン樹脂などで作った浮揚体を浮かべることによってその欠点を解決している。
【考案の効果】
【０００５】  浮揚体は黒色などのためポリタンクに当たるは光がどの方向から入ってきても入って来た光のほぼ反対側のポリタンクの外側の面に浮揚体２（浮揚体２ａ）が黒い帯状となって現われ油量をはっきりと知ることが出来る。
【考案の実施するための最良の形態】
【０００６】  以下、添付図面に従って本考案の形態例を説明する。１は灯油用ポリタンクで、浮揚体２をポリタンク内に入れ灯油をポリタンク１に入れば浮揚体２が浮揚体２自体の浮力によって油面の高さまで上がり浮揚体２の外縁部２ａがタンク内壁に接触しているため、どの方向からの光によっても入って来た光のほぼ反対側のポリタンク外側の面に浮揚体２（浮揚体２ａ）が黒い帯状となって現れ油量をはっきりと知ることが出来る。又ポリタンク内に浮揚体２を浮かせるためには浮揚体自体を発泡樹脂製３（図２）にして浮力を得る方法がある。又浮揚体２を独立した空気室３ａ（図３）を連続した形状にして浮力を得る方法などもある。
浮揚体２とポリタンク内壁が接触していないと浮揚体２と内壁の間に光が入りタンクの外側から見た場合浮揚体２の黒色がうすくぼやけて見えるようになってしまうため、なるべく内壁面に浮揚体２が接触して油量に応じて上下に動くようにするため、浮揚体２自体をポリタンク内壁方向への弾性を持たせる。又浮揚体２のポリタンク内壁に接触する浮揚体外縁部２ａはより見やすくするため平面積をある程度大きくした方が効果が大きい。又浮揚体２の色は黒色などの暗色系の濃厚な色がより良い。
【０００７】  本考案の一実施例は上述の如き構成からなるものであるから浮揚体２が自体の浮力によって油量の多少に連動することにより簡便に油量を知ることが出来る。
【図面の簡単な説明】
【０００８】
【図１】本考案の実施の形態を示す正面図である。
【図２】図１の浮揚体２が発泡性樹脂製の場合の拡大部分図である。
【図３】図１の浮揚体２が独立した空気室３ａを連続して構成する場合の拡大部分図である。
【符号の説明】
【０００９】１  灯油用ポリタンク本体
２  浮揚体
２ａ  浮揚体外縁部
３  発泡性樹脂製の浮揚体
３ａ  独立した空気室
４  灯油
５  ポリタンク蓋
６  ポリタンク取っ手
【図１】
0003111555.tif 000003
【図２】
0003111555.tif 000004
【図３】
0003111555.tif 000005
(57)【要約】【課題】      下腿の疲労骨折・シンスプリント（脛骨過労性骨膜炎）等の疲労性外傷及び中足部の疲労骨折や疲労性の疼痛を改善するために、日常生活やスポーツ活動時にも装用できる脱着の容易なサポーターの提供。【解決手段】      厚さ２ｍｍ程度のクロロプレンゴムの表面にナイロンジャージ、足に直接触れる面に綿パイル等を積層した素材で内部に足関節を生理的中間位に保持する目的のポリエチレン製の固定体を内蔵する形で縫製し、ベロクロテープ付開閉部で足首部および中足部に固定されるサポーターである。【選択図】      図１
0003111554.tif 000002
【実用新案登録請求の範囲】
【請求項１】
外部は繊維性で足関節の内外果上端部より近位と中足部の土踏まず位とに開閉可能で装着時に使用者が自ら脱着できるようベロクロテープのついた帯を配し、踵部は使用者の足への密着性を高めるために開放され、内部には弾力性の有る硬質の固定体を外部の繊維素材で覆うことを有し、この構造により、足関節を生理的中間位に保持し、正しい関節運動を起こさせることで下腿及び足部・中足部の障害を軽減させることを特徴とする足関節部に装着するサポーター。
【考案の詳細な説明】
【技術分野】
【０００１】      この考案は、下腿の疲労骨折・シンスプリント（脛骨過労性骨膜炎）等の疲労性外傷及び中足部の疲労骨折や疲労性の疼痛の防止を目的に足部・足関節部に装着するサポーター関するものである。
【背景技術】
【０００２】      従来、下腿の疲労骨折・シンスプリント（脛骨過労性骨膜炎）等の疲労性外傷及び中足部の疲労骨折や疲労性の疼痛を有するスポーツ選手などにはテーピングや副木などが使用されていたが、それらを施行するに当たっては専門の知識や技術が必要であり、簡単かつ短時間で着装できる装具やサポーターが存在しなかった。
【考案の開示】
【考案が解決しようとする課題】
【０００３】    下腿の疲労骨折・シンスプリント（脛骨過労性骨膜炎）等の疲労性外傷及び中足部の疲労骨折や疲労性の疼痛を有するスポーツ選手などのための装具やサポーターが存在しなかったため、弾力性のある硬質の固定体を使用し、踵部を生理的中間位に、かつ土踏まずの特に舟状骨部を挙上保持できるよう柔軟に固定。容易に脱着できるもので日常生活やスポーツ活動時にも装用でき、一定期間の装用にて対象傷害の改善を見込めるサポーターを提供することを課題とする。
【課題を解決するための手段】
【０００４】      以上の課題を解決するために、本考案は、外部は繊維性で、内部に弾力性の有る硬質の固定体を有し、足関節に装着し足関節を生理的中間位に保持し、正しい関節運動を起こさせることで下腿及び足部・中足部の障害を軽減させることを特徴とするサポーターである。
【考案の効果】
【０００５】      下腿の疲労骨折・シンスプリント（脛骨過労性骨膜炎）等の疲労性外傷及び中足部の疲労骨折や疲労性の疼痛が軽減されること。生理的に正しい関節運動が習得されることで歩行能力・走能力・跳躍力の向上なども期待される。
【考案を実施するための最良の形態】
【０００６】      足首部から中足部にかけ使用者自らが着脱可能なクロロプレンゴム製のサポーターで、足関節を生理的中間位に保持できる機能を持つポリエチレン製の固定体を内部に有する構造である。
【実施例】
【０００７】      以下本考案の実施例について図面に基づき説明する。図１・図２において１はサポーター本体で、厚さ２ｍｍ程度のクロロプレンゴムの表面にナイロンジャージ、足に直接触れる面に綿パイル等を積層した素材からなり縫製したものである。この素材には抗菌剤などを含ませておくのが望ましい。２は内部固定体でこれにより足関節を生理的中間位に保持することができる。図１は装着時の状態を示す斜視図である。３のベロクロテープ付開閉部で足首部に、４のベロクロテープ付開閉部により中足部に固定される。【０００８】      ２は０．５〜２ｍｍ程度のポリエチレン製の内部固定体である。図３の展開図のようにサポーター本体の足に直接触れる面の綿パイル等の内側に内蔵される形で縫合固定されることが望ましい。【０００９】      図４はポリエチレン製の内部固定体であり、この内部固定体には踵部を回外させることを目的として３度〜７度の範囲で内側が高くなるような傾斜角度を設ける。この特性によりサポーターは左右の共用はできないものとする。【０００１０】      この構造により踵骨の回内が抑制され舟状骨の内方への突出及び低下による足部の内側縦アーチの平坦化を防止することができ、脛骨や中足骨の運動時痛が軽減される。また、前足部外転ならびに回外も抑制されるため、主に歩行や走行時の特に推進期に前足部や母指が体を押し出そうとする力を効果的に補助する。
【図面の簡単な説明】
【００１１】
【図１】装着時の状態を示す斜視図である。
【図２】装着時の状態を内側から見た図である。
【図３】サポーターの展開図である。
【図４】内部固定体の図である、
【符号の説明】
【００１２】１  サポーター本体
２  内部固定体
３  足首開閉部（裏面ベロクロテープ）
４  中足開閉部（裏面ベロクロテープ）
【図１】
0003111554.tif 000003
【図２】
0003111554.tif 000004
【図３】
0003111554.tif 000005
【図４】
0003111554.tif 000006
(57)【要約】【課題】  うまく挿入作業を進め、挿入される物体が断裂されないねじを提供する。【解決手段】  金属からなるロッド本体を有し、該ロッド本体の一端に外径がより大きいヘッド部が一体に設けられると共に、他端に物体を挿入するための先細構造が設けられ、該ロッド本体の外側に所定の間隔でねじ山が形成されるねじであって、  前記ロッド本体の先細構造の付近におけるねじ山同士の間に外側へ突出する複数の切削凸部が設けられることを特徴とする。【選択図】  図１
0003111509.tif 000002
【実用新案登録請求の範囲】
【請求項１】
金属からなるロッド本体を有し、該ロッド本体の一端に外径がより大きいヘッド部が一体形成に設けられると共に、他端に物体を挿入するため先細構造が設けられ、該ロッド本体の外側に所定の間隔でねじ山が形成されるねじであって、
前記ロッド本体の先細構造の付近におけるねじ山同士の間に外側へ突出する複数の切削凸部が設けられることを特徴とするねじ。
【請求項２】
前記切削凸部がＵ字形構造であることを特徴とする請求項１に記載のねじ。
【請求項３】
前記切削凸部がＯ字形構造であることを特徴とする請求項１に記載のねじ。
【考案の詳細な説明】
【技術分野】
【０００１】
本考案は、特に二つの物体を連結するために使用するねじに関するものである。
【背景技術】
【０００２】
図５に示すように、従来のねじは金属からなるロッド本体（５０）を有し、該ロッド本体（５０）の一端に外径がより大きくのヘッド部（５１）が一体形成に設けられ、該ヘッド部（５１）の上面にドライバーを嵌め込むためのマイナス形、プラス形、方形又は六角形の凹溝（符号なし）が形成されると共に、他端に物体に挿入するための先細構造が設けられ、更に、該ロッド本体（５０）の外側に所定の間隔でねじ山（５２）が形成される構造を成す。
【考案の開示】
【考案が解決しようとする課題】
【０００３】
しかしながら、前記従来のねじを使用すると、物体から屑が発生し、該屑がねじ凹溝に堆積してしまうので、作業をスムーズに行えなく、又、ねじ山（５２）とねじ凹溝の内側との接触面積が大きいので、作業がスムーズに進まなくという問題を有する。
【０００４】
又、場合によっては作業がスムーズに進まないと、物体を破壊してしまう恐れを有する。
【０００５】
そこで、案出されたのが本考案であって、作業をスムーズに行い、物体を破壊することもないねじを提供することを目的としている。
【課題を解決するための手段】
【０００６】
本願の請求項１の考案は、金属からなるロッド本体を有し、該ロッド本体の一端に外径がより大きいヘッド部が一体に設けられると共に、他端に物体を挿入するための先細構造が設けられ、該ロッド本体の外側に所定の間隔でねじ山が形成されるねじであって、
前記ロッド本体の先細構造の付近におけるねじ山同士の間に外側へ突出する複数の切削凸部が設けられることを特徴とするねじ及び、
本願の請求項２の考案は、前記切削凸部がＵ字形構造であることを特徴とする請求項１に記載のねじ及び、
本願の請求項３の考案は、前記切削凸部がＯ字形構造であることを特徴とする請求項１に記載のねじ、を提供する。
【考案の効果】
【０００７】
本考案は上記の課題を解決するものであり、ロッド本体の先細構造の付近におけるねじ山同士の間に外側へ突出する複数の切削凸部が設けられ、ロッド本体が物体を挿入する際、切削凸部がねじ山によって掘ったねじ凹溝の幅を拡大し、切削凸部の後のねじ山が幅を拡大したねじ凹溝に進入することにより、ねじの挿入速度を向上することができ、又、ねじ凹溝の幅が拡大したので、切削した屑をねじ凹溝に収容することにより、挿入される物体の破壊問題を防止することができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係るねじの第１実施例を示す斜視図であり、図２は本考案に係るねじのの第１実施例を示す側面図であり、図３は本考案に係るねじの第２実施例を示す側面図であり、図４は本考案に係るねじの第３実施例を示す側面図である。
【実施例１】
【００１０】
図１及び図２に示すように、本考案に係るねじの第１実施例は、金属からなるロッド本体（１０）を有し、該ロッド本体（１０）の一端に外径がより大きいヘッド部（１１）が一体に設けられると共に、他端に物体を挿入するための先細構造が設けられ、該ロッド本体（１０）の外側に所定の間隔でねじ山（１２）が形成されるねじであって、
前記ロッド本体（１０）の先細構造の付近におけるねじ山（１２）同士の間に外側へ突出する複数のＶ字形切削凸部（１３）が設けられ、ロッド本体（１０）が物体を挿入する際、切削凸部（１３）がねじ山（１２）によって掘ったねじ凹溝の幅を拡大し、切削凸部（１３）の後のねじ山（１２）が幅を拡大したねじ凹溝に進入することにより、ねじの挿入速度を向上することができ、又、ねじ凹溝の幅が拡大したので、切削した屑をねじ凹溝に収容することにより、挿入される物体の断裂問題を防止することができる。
【実施例２】
【００１１】
図３に示すように、本考案に係るねじの第２実施例は、前記第１実施例と殆ど等しく、異なるのは、前記ロッド本体（１０）の外側に設けられる切削凸部（１４）がＵ字形構造であることにより、前記と等しい効果を達成することができる。
【実施例３】
【００１２】
図４に示すように、本考案に係るねじの第３実施例は、前記第１実施例と殆ど等しく、異なるのは、前記ロッド本体（１０）の外側に設けられる切削凸部（１５）がＯ字形構造であることにより、前記と等しい効果を達成することができる。
【産業上の利用可能性】
【００１３】
本考案は上記の構成を有するので、ロッド本体の先細構造の付近におけるねじ山同士の間に外側へ突出する複数の切削凸部が設けられ、ロッド本体が物体を挿入する際、切削凸部がねじ山によって掘ったねじ凹溝の幅を拡大し、切削凸部の後のねじ山が幅を拡大したねじ凹溝に進入することにより、ねじの挿入速度を向上することができ、又、ねじ凹溝の幅が拡大したので、切削した屑をねじ凹溝に収容することにより、挿入される物体の断裂問題を防止することができる。
【図面の簡単な説明】
【００１４】
【図１】本考案に係るねじの第１実施例を示す斜視図である。
【図２】本考案に係るねじのの第１実施例を示す側面図である。
【図３】本考案に係るねじの第２実施例を示す側面図である。
【図４】本考案に係るねじの第３実施例を示す側面図である。
【図５】従来のねじを示す側面図である。
【符号の説明】
【００１５】
１０        ロッド本体
１１        ヘッド部
１２        ねじ山
１３        切削凸部
１４        切削凸部
１５        切削凸部
５０        ロッド本体
５１        ヘッド部
５２        ねじ山
【図１】
0003111509.tif 000003
【図２】
0003111509.tif 000004
【図３】
0003111509.tif 000005
【図４】
0003111509.tif 000006
【図５】
0003111509.tif 000007
(57)【要約】      （修正有）【課題】両手で持つことで、上下、左右、ナナメにトレーニング器具を体のバランスを崩すことなく振ることが出来、腕のトレーニングだけでなく、上半身全体に効果のあるトレーニングが可能とする。【解決の手段】手で掴む棒状の部分、その両端部と中央部に錘となる塊が設けられた形です。１本のまっすぐな棒の両端と中央部分に錘となる塊があり、３つの塊を繋ぐ棒状部分は手で掴みやすい形態であり、錘となる３つの塊は使用に不都合なく危険の無い形である。【選択図】図１
0003111521.tif 000002
【実用新案登録請求の範囲】
【請求項１】
１本の棒の両端と中央の３箇所に錘となる塊がある形の棒状トレーニング器具。
【考案の詳細な説明】
【技術分野】
【０００１】
本発明は、両手でトレーニング器具を持ち、両腕を使った筋力トレーニングをするためのトレーニング器具に関するものである。
【背景技術】
【０００２】
鉄アレーやダンベルなど片手で使う筋力トレーニング器具は、従来ありました。
【考案の開示】
【考案が解決しようとする課題】
【０００３】
鉄アレーやダンベルは、片手で使うことを想定しています。左右の金属の塊やプレートの間隔が狭いために両手で持つことは困難です。鉄アレーやダンベルを片手で持ち大きく頭上に振り上げるように使用すると不安定であり、体のバランスを崩してしまいます。さらにダンベルの場合においては、プレートの直径の長さによっては、頭部に接触する危険も発生します。鉄アレーやダンベルは、片手の使用で、なおかつ肘を中心とした小さな動きのトレーニングに適しているために、剣道の竹刀を振るようなトレーニングを行うには不便であり危険であります。従来であれば、鉄アレーやダンベルを左右の手にそれぞれ持ち危険でありながら同時に使用したり、不便で不安定ながら片手ずつ交互にトレーニングを行ったり、無理に両手で持ち使用していました。鉄アレーやダンベルのように器具の重みでトレーニングを行え、さらに両手を使って
安全に使い易く効果的に竹刀や斧を振るように筋力トレーニングが出来ることを可能とする器具が従来ありませんでした。
【課題を解決するための手段】
【０００４】
棒の両端と中央に塊をつけ、両端の塊と中央の塊との間に出来る２ヶ所の棒状である部分を、左右の手で掴み持つことで安全に安定して頭上に振り上げることが出来ます。そして腕を使い、器具を上下、左右、斜めに大きく振ることで筋肉に負荷を与え、体を鍛えるトレーニング器具であります。
3つの塊は、器具の重さの役目となります、塊の大きさで器具の重量を定めます。3つの塊があることで器具の長さを抑え、トレーニング器具が安全に振り易くなります。
【考案の効果】
【０００５】
両手で持つことで、上下、左右、ナナメにトレーニング器具を体のバランスを崩すことなく振ることが出来、腕のトレーニングだけでなく、上半身全体に効果のあるトレーニングが可能となりました。錘となる塊部分を設けたことで、体に接触する危険も改善されました。
【考案を実施するための最良の形態】
【０００６】
手で掴む棒状の部分、その両端部と中央部に錘となる塊が設けられた形です。１本のまっすぐな棒の両端と中央部分に錘となる塊があり、３つの塊を繋ぐ棒状部分は手で掴みやすい形態であり、錘となる３つの塊は使用に不都合なく危険の無い形である。
【実施例】
【０００７】
図１は、本発明器具の実施例の平面図である。
【産業上の利用可能性】
【０００８】
棒状トレーニング器具を鋳物で製造する場合、鋳物製造業者が必要であるため、鋳物製造業界の活性化に繋がると期待できる。
【図面の簡単な説明】
【０００９】
【図１】「棒状トレーニング器具を示した平面図である。」
【符号の説明】
【００１０】
1手で掴む部分
2錘となる塊部分
【図１】
0003111521.tif 000003
(57)【要約】【課題】  マイナス形、プラス形又は方形のドライバーに対応するねじのヘッド部を提供する。【解決手段】  外側にねじ山が形成されるロッド本体の一端に一体に設けられ、上面にプラス形の第１凹溝が形成されると共に、該第１凹溝の中央底部に方形の第２凹溝が形成されることを特徴とする。【選択図】  図１
0003111512.tif 000002
【実用新案登録請求の範囲】
【請求項１】
外側にねじ山が形成されるロッド本体の一端に一体に設けられ、上面にプラス形の第１凹溝が形成されると共に、該第１凹溝の中央底部に方形の第２凹溝が形成されることを特徴とするねじのヘッド部。
【請求項２】
前記第１凹溝の端部が円弧状であることを特徴とする請求項１に記載のねじのヘッド部。
【考案の詳細な説明】
【技術分野】
【０００１】
本考案は、特に二つの物体を連結するために使用するねじのヘッド部に関するものである。
【背景技術】
【０００２】
図４に示すように、従来のねじは金属からなるロッド本体（４０）を有し、該ロッド本体（４０）の一端に外径がより大きいヘッド部（４１）が一体に設けられ、該ヘッド部（４１）の上面にドライバーを嵌め込むためのマイナス形、プラス形、方形又は六角形の凹溝（４２）（図面に示すものはプラス形である）が形成されると共に、他端に物体に挿入するため先細構造が設けられ、更に、該ロッド本体（４０）の外側に所定の間隔でねじ山（４３）が形成される構造を成す。
【考案の開示】
【考案が解決しようとする課題】
【０００３】
しかしながら、前記異なる凹溝（４２）を有するねじを使用する際、該凹溝（４２）と対応するドライバーを使用しなければならないので、非常に面倒である。
【０００４】
そこで、案出されたのが本考案であって、マイナス形、プラス形又は方形のドライバーに対応するねじのヘッド部を提供することを目的としている。
【課題を解決するための手段】
【０００５】
本願の請求項１の考案は、外側にねじ山が形成されるロッド本体の一端に一体に設けられ、上面にプラス形の第１凹溝が形成されると共に、該第１凹溝の中央底部に方形の第２凹溝が形成されることを特徴とするねじのヘッド部及び、
本願の請求項２の考案は、前記第１凹溝の端部が円弧状であることを特徴とする請求項１に記載のねじのヘッド部、を提供する。
【考案の効果】
【０００６】
本考案は上記の課題を解決するものであり、ねじのヘッド部の上面にプラス形の第１凹溝が形成されると共に、該第１凹溝の中央の底部に方形の第２凹溝が形成されることにより、マイナス形、プラス形又は方形のドライバーがヘッド部を回転することができ、利便性が非常に高い。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係るねじのヘッド部の斜視図であり、図２は本考案に係るねじのヘッド部の平面図であり、図３は本考案に係るねじのヘッド部の断面図である。
【０００９】
図１乃至図３に示すように、本考案に係るねじのヘッド部（１１）は、外側にねじ山（１２）が形成されるロッド本体（１０）の一端に一体に設けられ、該ヘッド部（１１）の上面にプラス形の第１凹溝（１１０）が形成されると共に、該第１凹溝（１１０）の中央底部に方形の第２凹溝（１１１）が形成される。
【００１０】
前記第１凹溝（１１０）の端部が円弧状であることにより、ドライバーが第１凹溝（１１０）に挿入する際、該円弧状構造がドライバーをスムーズに第１凹溝（１１０）に案内することができる。
【００１１】
使用者はプラス形のドライバーを使用する際、該ドライバーの端部をプラス形の第１凹溝（１１０）に挿入することにより、ねじのヘッド部（１１）を回転させることができ、又、使用者はマイナス形のドライバーを使用する際、該ドライバーの端部をプラス形の第１凹溝（１１０）の縦溝又は横溝に挿入することにより、ねじのヘッド部（１１）を回転させることができ、前記と同じように、使用者は方形のドライバーを使用する際、該ドライバーの端部を第２凹溝（１１１）に挿入することにより、ねじのヘッド部（１１）を回転させることができる。
【産業上の利用可能性】
【００１２】
本考案は上記の構成を有するので、ねじのヘッド部の上面にプラス形の第１凹溝が形成されると共に、該第１凹溝の中央の底部に方形の第２凹溝が形成されることにより、マイナス形、プラス形又は方形のドライバーでヘッド部を回転させることができ、利便性が非常に高い。
【図面の簡単な説明】
【００１３】
【図１】本考案に係るねじのヘッド部の斜視図である。
【図２】本考案に係るねじのヘッド部の平面図である。
【図３】本考案に係るねじのヘッド部の断面図である。
【図４】従来のねじのヘッド部を示す斜視図である。
【符号の説明】
【００１４】
１０        ロッド本体
１１        ヘッド部
１１０      第１凹溝
１１１      第２凹溝
１２        ねじ山
４０        ロッド本体
４１        ヘッド部
４２        凹溝
４３        ねじ山
【図１】
0003111512.tif 000003
【図２】
0003111512.tif 000004
【図３】
0003111512.tif 000005
【図４】
0003111512.tif 000006
(57)【要約】【課題】  不完全燃焼により、煙・ダイオキシン等の有害な物質が排出されないよう、縦式火格子を提供する。【解決手段】  燃焼室下部に縦に火格子を設けたことを特徴とする、縦式火格子を設けた焼却炉。【選択図】図１
0003111563.tif 000002
【実用新案登録請求の範囲】
【請求項１】
燃焼室下部に縦に火格子を設けたことを特徴とする、給湯可能な焼却炉である。
【考案の詳細な説明】
【技術分野】
【０００１】  本考案は、燃焼室下部に縦に火格子を設ける事により、燃焼部で高温（１０００℃）のところを、直接くぐるため完全燃焼しダイオキシン等の分解を促す焼却炉に関するものである。
【背景技術】
【０００２】  従来、焼却炉の火格子は通常水平及び上部に設けられていた。
【考案の開示】
【考案が解決しようとする課題】
【０００３】  そのためにつぎのような問題点があった。
（イ）燃焼物が灰に覆われて不完全燃焼をおこす。
（ロ）低温部を通過するため煙及びダイオキシン、悪臭等が出る。
（ハ）不完全燃焼をおこすため燃え残りが多くでる。
（ニ）耐用年数が短い。
本考案は、以上の問題点を解決するためになされたものである。
【課題を解決するための手段】
【０００４】  燃焼室下部に、縦に火格子を設ける。以上を特徴とする縦式火格子の焼却炉である。
【考案の効果】
【０００５】  高温（１０００℃以上）の燃焼部を直接くぐるためダイオキシン等がほぼ分解される、又、完全燃焼するため燃え残り及び灰が少ない。
【考案を実施するための最良の形態】
【０００６】  以下、本考案の実施の形態を説明する。
（イ）燃焼室▲２▼に火格子▲１▼
本案は以上のような構造で投入口▲４▼より廃材等の可燃物を投入し、燃焼室▲２▼で高温完全燃焼し、火格子▲１▼を通過し煙突より排出される。煙突により吸い込まれるため、他の開口より炎・煙が出る事がない。【０００７】  図−２の矢印Ａは、投入から排出迄の経路を示す、又燃焼室は高温（１０００℃）以上で燃えているが、上部は燃えていない状態にあるため投入口より煙及び炎が上がる事は、ない。
【図面の簡単な説明】
【０００８】
【図１】本考案の一部を切り欠いた正面図
【図２】本考案の側面透視図
【図３】本考案の底部断面図
【符号の説明】
【０００９】    １  火格子        ５  水槽
２  燃焼室        ６  煙突
３  貯留室        ７  キャスタブル
４  投入口        ８  通気口
【図１】
0003111563.tif 000003
【図２】
0003111563.tif 000004
【図３】
0003111563.tif 000005
(57)【要約】【課題】座席にもたれて仮眠する場合等に、首が安定せず頭が動いてすぐに目が覚めること、ややもすると首筋を痛めることの解消。【解決手段】中央部に折り目を設けた枕を使用することにより、折り目にそいながら両肩、首筋、後頭部にやわらかくフィットして、首が安定し頭が動きにくくなることで、この問題を解訣する。【選択図】図１
0003111562.tif 000002
【実用新案登録請求の範囲】
【請求項１】
中央部に折り目を設けたことを特徴とする枕。
【考案の詳細な説明】
【技術分野】
【０００１】本考案は、座席にもたれて仮眠する場合等に使用する枕に関する。
【背景技術】
【０００２】従来は、既存の枕等を後頭部に当てて座席にもたれるか、或いは何も使用せず座席にもたれて仮眠をとっている。
【考案の開示】
【考案が解決しようとする課題】
【０００３】しかし、これでは、首が安定せずに頭が動いてすぐに目が覚めるし、ややもすると首筋が痛んでくる。
【課題を解決するための手段】
【０００４】そこで、中央部に折り目を設けた枕を考案した（図１）。
この枕は両肩に乗せたような状態で、首筋及び後頭部に自然な形状でおさまり、首が安定し頭が動きにくくなる。  また、軽量で肩への負担もなく両肩に乗っていることで枕のずれ落ちがなく、折り目にそった窪みによる通気性もよい。
【考案の効果】
【０００５】よって、本考案の旅行用携帯安眠枕により、安定した眠りを得ることが出来て、首筋の痛みもなくあらゆる乗物旅行が楽しめる。  また、家庭や仕事場での休憩時の仮眠にも最適である。
【考案を実施するための最良の形態】
【０００６】本考案に係る枕は、図１に示すように中央部に折り目を設けたもので、適度なやわらかさにより、折り目にそいながら両肩、首筋、後頭部にフィットする。  素材は既存のあらゆる枕素材を適用する。
【図面の簡単な説明】
【０００７】
【図１】  枕の断面図
【図２】  枕の平面図
【図１】
0003111562.tif 000003
【図２】
0003111562.tif 000004
(57)【要約】【課題】本考案は、上側プレートと下側プレート及びジャバラ状の空気袋を組み合わせて地震の揺れを吸収し家具の転倒を防ぐものである。【解決手段】本考案は、軽くて強度のある上側プレート１と下側プレート２の間にジャバラ状の空気袋３を備えた家具耐震プレートをタンス等の家具と天井板の隙間に設置し、別付けの空気入れ４でジャバラ状の空気袋の空気取り入れ口４からジャバラ状の空気袋３に空気を充填するとジャバラ状の空気袋３は上側プレート１を押し上げ、上側プレート１は天井板に密着する。地震の強い揺れはジャバラ状の空気袋３がその力を吸収するため、天井板に強い力が加わることなく家具を支えるため地震の被害を少なくすることに役立つ。【選択図】図３
0003111546.tif 000002
【実用新案登録請求の範囲】
【請求項１】
広い面で家具と天井板に接しても負担の無い軽くて強度のある上側プレートと下側プレート及び、強い圧力が加わっても破裂しないジャバラ状の空気袋を使用し、上側プレートと下側プレートでジャバラ状の空気袋を挟んで一体化した家具耐震プレートを家具と天井板の隙間に置き下側プレートは家具側、上側プレートは天井板側に向けて、別付けの空気入れでジャバラ状の空気袋の空気取り入れ口からジャバラ状の空気袋に空気を充填すればジャバラ状の空気袋が膨張して上側プレートを押し上げ天井板に密着する。尚、地震の強い揺れはジャバラ状の空気袋で揺れを弱められ天井板を破損すること無く家具の転倒を防いでくれることを特徴とする家具耐震プレートである。
【考案の詳細な説明】
【技術分野】
【０００１】本考案は、タンス等の家具と天井板の隙間を利用した家具の転倒防止装置に関するものである。
【背景技術】
【０００２】家具の耐震金具やタンスと天井板との間に棒状の耐震装置を取り付ける方法は以前から有るが、耐震金具の場合は取付けの際に、壁に穴を開けてしまうため賃貸住宅などでは原状回復に費用がかさむ、また、棒状の耐震装置では、強い地震の揺れで天井板を突き破ってしまう危険をはらんでいる。
【考案の開示】
【考案が解決しようとする課題】
【０００３】家具の耐震金具やタンスと天井板との間に棒状の耐震装置を取り付ける方法だと経済的負担が多い。従って、上側プレートと下側プレート及びジャバラ状の空気袋を組み合わせた家具耐震プレートは地震の揺れを吸収するため家具の転倒を防止することが可能になり、前述の欠点を解決しようとするものである。
【課題を解決するための手段】
【０００４】本考案は、耐震を目的とした強度のある上側プレートと下側プレートの間にジャバラ状の空気袋を備えた家具耐震プレートをタンス等の家具と天井板の隙間に設置し、別付けの空気入れでジャバラ状の空気袋の空気取り入れ口からジャバラ状の空気袋に空気を充填すれば上側プレートはジャバラ状の空気袋の膨張により天井板に密着して設置が完了する。地震の揺れはジャバラ状の空気袋で揺れを吸収するため、天井板を傷つけること無く家具の転倒を防ぐことにより問題点を解決している。
【考案の効果】
【０００５】上述の様に、上側プレートと下側プレート及びジャバラ状の空気袋によって家具と天井板を支える耐震装置は、天井板を傷つけること無く家具を転倒から守ることができ、壁に穴を開けてしまう家具の耐震金具や強い地震の揺れで天井板を突き破ってしまう危険をはらんでいる棒状の耐震装置に取って代わることの出来る耐震装置として役立つ。
【考案を実施するための最良の形態】
【０００６】広い面で家具と天井板に接しても負担の無い軽くて強度のある上側プレートと下側プレート及び、強い圧力が加わっても破裂しないジャバラ状の空気袋を使用し、上側プレートと下側プレートでジャバラ状の空気袋を挟んで一体化したものを家具と天井板の隙間に置き下側プレートは家具側、上側プレートは天井板側に向けて、別付けの空気入れでジャバラ状の空気袋の空気取り入れ口からジャバラ状の空気袋に空気を充填すればジャバラ状の空気袋が膨張して上側プレートが天井板、下側プレートは家具側に密着するため設置が完了する。
【実施例】
【０００７】以下、添付図面に従って一実施例を説明する。上側プレート１と下側プレート２の間にジャバラ状の空気袋３からなる家具耐震プレートを家具と天井板の隙間に置き、下側プレート２は家具側、上側プレート１は天井板側に向ける。別付けの空気入れ５でジャバラ状の空気袋の空気取り入れ口４に空気を充填すると上側プレート１と下側プレート２に挟まれていたジャバラ状の空気袋３が膨らむため上側プレート１が天井板に向かって移動する。天井板に到達した上側プレート１は広い面で天井板に密着して設置が完了する。【０００８】本考案の一実施例は上述の如き構造からなるものであるから、地震によって家具が傾き掛けた時、傾きの力を広い面で伝える上側プレート１と下側プレート２の材質は軽くて強度のあるものが適している、地震の揺れの力を吸収するジャバラ状の空気袋３の材質は時間が経過しても充填した空気が漏れにくく、地震の揺れを吸収しても破損しないものが適している。また、別付けの空気入れ５は、ジャバラ状の空気袋内３の空気圧が低くなった時に使用すれば良く、ジャバラ状の空気袋内３の空気圧が低くなった時にそのことが判る表示があれば尚良い。
【図面の簡単な説明】
【０００９】
【図１】本考案の家具耐震プレートを横から見た図である。
【図２】本考案の家具耐震プレートを上から見た図である。
【図３】上述の
【図１】のジャバラ状の空気袋に空気を充填した状態を横から見た図である。
【図４】別付けの空気入れの図である。
【符号の説明】
【００１０】１  家具耐震プレート本体の上側プレート部分
２  家真耐震プレート本体の下側プレート部分
３  ジャバラ状の空気袋
４  ジャバラ状の空気袋の空気取り入れ口
５  別付け空気入れ
【図１】
0003111546.tif 000003
【図２】
0003111546.tif 000004
【図３】
0003111546.tif 000005
【図４】
0003111546.tif 000006
(57)【要約】【課題】膝に力が入り、踏ん張りが利く等の効果を発揮し、ズボンの内側面に引っかかることのない安価な膝用サポーターを提供する。【解決手段】弾性紐により形成した二つの環状体１、３を結着手段４により一箇所にて相互に結着してなることを特徴とする膝用サポーター。各環状体１、３は、ゴム紐等の弾性紐５、７により形成する。環状体１を弾性紐５により形成する際には、弾性紐５の端部５ａ、５ｂを連結管９により相互に連結する。環状体３を弾性紐７により形成する際には、弾性紐７の端部７ａ、７ｂを連結管１１により相互に連結する。一方の環状体１を他方の環状体３よりもやや大径とし、当該一方の環状体１を膝頭の上縁に当接させ、他方の環状体３を膝頭の下縁に当接させる。二つの環状体１、３を一箇所にて相互に結着する結着手段４としては、布製リボン等を用いる。【選択図】図１
0003111032.tif 000002
【実用新案登録請求の範囲】
【請求項１】
弾性紐により形成した二つの環状体を結着手段により一箇所にて相互に結着してなることを特徴とする膝用サポーター。
【考案の詳細な説明】
【技術分野】
【０００１】
本考案は、膝用サポーターに関するものであり、特に、足の膝の関節部分を締め付けて保護する膝用サポーターに係るものである。
【背景技術】
【０００２】
膝用サポーターとしては、実開平７−１３３１７号公報に示すように、膝を覆う広幅帯状体に面ファスナー等の止着手段を備えさせてなるもの（以下「従来の膝用サポーター」という。）が既に知られている。
【特許文献１】実開平７−１３３１７号公報
【考案の開示】
【考案が解決しようとする課題】
【０００３】
しかるに、上記従来の膝用サポーターにおいて、次のような問題がある。
【０００４】
（イ）従来の膝用サポーターは、広幅帯状体が足の膝部を覆うようにしているため、例えばスポーツや山仕事、畑仕事等においては、従来の膝用サポーターを着用しても、膝に力が入らず、踏ん張りが利かないという問題がある。
【０００５】
（ロ）従来の膝用サポーターは、広幅帯状体が足の膝部を覆うようにしているため、該広幅帯状体がその材質等によりズボンの内側面に引っかかるおそれがある。
【０００６】
（ハ）従来の膝用サポーターは、弾性を有する広幅帯状体を使用しているため、高価であるという問題がある。
【０００７】
本考案は、従来の膝用サポーターにおける上述の如き問題を解決し、膝に力が入り、踏ん張りが利く等の効果を発揮し、ズボンの内側面に引っかかることのない安価な膝用サポーターを提供しようとしてなされたものである。
【課題を解決するための手段】
【０００８】
上記課題を解決するために、本考案は、下記の膝用サポーターを提供する。
【０００９】
弾性紐により形成した二つの環状体を結着手段により一箇所にて相互に結着してなることを特徴とする膝用サポーター。
【００１０】
［考案の作用］
本考案による膝用サポーターを着用する際には、両環状体の結着部を膝の背面側に当てた状態で、一方の環状体を膝頭の上縁に当接させ、他方の環状体を膝頭の下縁に当接させる。図１参照。
【００１１】
各環状体は弾性紐により形成されているため、一方の環状体は膝頭の上縁を線状に締め付け、他方の環状体は膝頭の下縁を線状に締め付ける。また、各環状体は膝の背面を線状に押圧する。
【考案の効果】
【００１２】
本考案は、下記の如き優れた効果を発揮する。
【００１３】
（１）本考案による膝用サポーターは、弾性紐により形成した二つの環状体を結着手段により一箇所にて相互に結着してなるものであるため、これを上述の如く着用したときには、一方の環状体は膝頭の上縁を線状に締め付け、他方の環状体は膝頭の下縁を線状に締め付ける。また、各環状体は膝の背面を線状に押圧する。従って、膝に力が入り、踏ん張りが利き、膝の痛みが緩和する。
【００１４】
（２）本考案による膝用サポーターは、弾性紐により形成した二つの環状体を結着手段により一箇所にて相互に結着してなるものであるため、これを上述の如く着用したときには、ズボンの内側面に引っかかるおそれがない。
【００１５】
（３）本考案による膝用サポーターは、弾性紐により形成した二つの環状体を結着手段により一箇所にて相互に結着してなるものであるため、安価に提供することができる。
【００１６】
（４）本考案による膝用サポーターは、相撲、山登り、陸上競技、自転車、スキー、スケート等のスポーツ、及び山仕事、畑仕事等の作業において、好ましく使用される。
【考案を実施するための最良の形態】
【００１７】
本考案の膝用サポーターは、弾性紐により形成した二つの環状体１、３を結着手段４により一箇所にて相互に結着してなるものである。
【００１８】
各環状体１、３は、ゴム紐等の弾性紐５、７により形成する。
【００１９】
環状体１を弾性紐５により形成する際には、一例として、弾性紐５の端部５ａ、５ｂを連結管９により相互に連結する。図２における符号１０に示すものは、連結管９を弾性紐５の端部５ａ、５ｂに締め付ける締付けリングである。
【００２０】
環状体３を弾性紐７により形成する際には、一例として、弾性紐７の端部７ａ、７ｂを連結管１１により相互に連結する。
【００２１】
図示の事例においては、一方の環状体１を他方の環状体３よりもやや大径とし、当該一方の環状体１を膝頭の上縁に当接させ、他方の環状体３を膝頭の下縁に当接させている。
【００２２】
二つの環状体１、３を一箇所にて相互に結着する結着手段４としては、例えば布製リボン等を用いる。
【００２３】
即ち、一例として、各環状体１、３の連結管９、１１の位置を合わせ、これらの連結管９、１１に布製リボンよりなる結着手段４を巻き付ける。
【図面の簡単な説明】
【００２４】
【図１】本考案による膝用サポーターの一例の使用状態を示す側面図である。
【図２】同上膝用サポーターの平面図である。
【図３】同上膝用サポーターの側面図である。
【符号の説明】
【００２５】
１  環状体
３  環状体
４  結着手段
５  弾性紐
５ａ  端部
５ｂ  端部
７  弾性紐
７ａ  端部
７ｂ  端部
９  連結管
１０  締付けリング
１１  連結管
【図１】
0003111032.tif 000003
【図２】
0003111032.tif 000004
【図３】
0003111032.tif 000005
(57)【要約】【課題】犬の排便時に糞を地面等に落下させることなく、直接補足するもので、袋の取り付けや取り外しが簡単でかつ糞の重みに耐えるシンプルな構造を持つ犬の糞処理具を提供する。【解決手段】  持ち手の先端部分に複数回渦巻状に巻かれた取り付け部が設けられ、前記取り付け部で袋体の開口部を支持することを特徴とする犬の糞回収用具である。【選択図】  図２
0003111027.tif 000002
【実用新案登録請求の範囲】
【請求項１】
持ち手の先端部分に複数回渦巻状に巻かれた取り付け部が設けられ、前記取り付け部で袋体の開口部を支持することを特徴とする犬の糞回収用具。
【考案の詳細な説明】
【技術分野】
【０００１】
本考案は犬が排泄する糞を手早く処理することが出来るようにした犬の集糞具に関するものである。
【背景技術】
【０００２】
犬の排便の始末においては、ビニ−ル袋等を携行し、排出した糞を拾って袋に入れたり、小型のスコップですくい取り、ビニ−ル等の袋に入れていた。  
【０００３】
最近は、紙製の糞獲り具や柄にビニ−ル袋等を取り付け、排泄直後の犬の糞をその袋で受け止めるようにした器具がある。
【特許文献１】実用新案登録第３０３２３４６号公報
【特許文献２】実用新案登録第３１０３４８４号公報
【特許文献３】実用新案登録第３１０３８５９号公報
【特許文献４】実開平７−３９４０８号公報
【特許文献５】特開２００３−９７０７号公報
【考案の開示】
【考案が解決しようとする課題】
【０００４】
前記方法では、手に不快な感触があったり、糞が柔らかい場合には回収が難しいし、回収しても地面に汚れが残る。また、その構造はビニ−ル袋をフックで留めたり、ビニ−ル袋を２つの輪で挟んだり等の複雑な構造をしているため使い勝手が悪かったり、製造コストが嵩んだりする。犬の糞の処理は毎日のことであるため、糞処理具が高価であったり、取り扱い方がめんどうであったりするとついその処理を怠りがちで、近隣住民にとっては大変迷惑な話となる。
【課題を解決するための手段】
【０００５】
本考案は、前述のような問題点に鑑み、簡単な構造にすることにより、袋の取り付けや取り外しが簡単に行えるようにし、用具の製造コストを下げるものである。
【０００６】
この考案は、持ち手の先端部分に複数回渦巻状に巻かれた取り付け部が設けられ、前記取り付け部で袋体の開口部を支持することを特徴とする犬の糞回収用具である。取り付け部は、針金状の先端部分を渦巻状に複数回巻いたものである。なお取り付け部は２，３回程度複数回渦巻き状に巻けばよい。その渦巻状の輪の内側に袋の開口部を上にした状態で袋の上部だけ残し挿入し、残した袋の上部を外側に上の輪に沿って広げて上の輪に被せ、その下の輪の内側に挟み込むように袋の開口部を数ｃｍ通して使用する。図３は犬の排便時に袋４で便を受け止めると、その便の重みで袋４が下がり、輪２と輪３の間を通した袋４の輪３と接しているところを押さえ込み、袋４が下にずり落ちないことを示している。
【考案の効果】
【０００７】
本考案は上述のように単純簡単な構造であるため、袋も簡単に取り付けや取り外しが行え、本用具は低コストで製造できる。また、ス−パ−等で利用されているビニ−ル袋を再利用でき、集糞後袋ごとゴミとして出すこともできるので、飼い主は犬の糞の処理が楽に低コストで出来る。
【考案を実施するための最良の形態】
【０００８】
次に本考案の実施の形態を実施例となる図面を参照して説明する。図１は斜めに設けた針金状の持ち手の先端部を渦巻状に上の輪が直径２０ｃｍで２回巻いた例を示している。３回以上巻くと袋の装着が面倒である。なお、本考案の糞回収用具を構成する材料としては直径が５ｍｍ程度の針金を用いることが望ましい。持ち手については本考案の糞回収用具を引っかけるために釣り針状に曲げておくと良い。
【０００９】
本考案を使用するときは、図２で示すように袋４の口を上にした状態で、２つの輪の内側に挿入し、袋４の口を開いてその縁を上の輪２に被せる。続けて上の輪２と下の輪３の間に袋４の縁を数ｃｍ通す。犬の排便時に袋４で便を受け止めると、その便の重みで袋４が下がり、輪２と輪３の間を通した袋４の輪３と接しているところを押さえ込み、袋４は下にずり落ちないのである。
【００１０】
その後、輪３の少し下の部分の袋４を一度上に少し持ち上げ気味にしてからゆっくり下に引っ張れば押さえ込みがなくなり、袋４はスム−ズにはずれるので袋４の口を縛り、持ち帰って適宜処理する。
【図面の簡単な説明】
【００１１】
【図１】本考案の斜視図である。
【図２】本考案の実施例を示す斜視図である。
【図３】ＡＢ線の断面図である。
【符号の説明】
【００１２】
１  持ち手
２  渦状の上の輪
３  渦状の下の輪
４  袋
【図１】
0003111027.tif 000003
【図２】
0003111027.tif 000004
【図３】
0003111027.tif 000005
(57)【要約】【課題】グラウンドの起伏を平らにするためのグラウンド整地具であって、引張棒を曳く角度が変わってもグラウンドの土を無用に削ってしまうようなおそれをなくする共に、引きずってきた土が窪みに積極的に押さえ込まれることにより理想的な整地ができるようにする。また、摩耗時に丸太材を交換するだけで容易に対処できるようにし、従来では廃棄処分されていた間伐材を有効利用できるようにする。【解決手段】引張棒１の先端部に円柱形の丸太材２を直交状に固着する。また、該引張棒１と丸太材２とはボルト１０により着脱可能に固着する。【選択図】図１
0003111091.tif 000002
【実用新案登録請求の範囲】
【請求項１】
引張棒の先端部に円柱形の丸太材を直交状に固着してなることを特徴としたグラウンド整地具。
【請求項２】
引張棒と丸太材とをボルトにより着脱可能に固着した請求項１に記載のグラウンド整地具。
【考案の詳細な説明】
【技術分野】
【０００１】
本考案は、グラウンドの起伏を平らにするためのグラウンド整地具に関するものである。
【背景技術】
【０００２】
スパイクシューズ等で荒らされたグラウンドの土の起伏を平らにするための従来のグラウンド整地具は、図４に示したように、横断面Ｌ形の鋼材ａに引張棒ｂを溶接等により固着してなるもの、或いは図５に示したように、櫛歯状に形成された鋼材ａに引張棒ｂを固着してなるものであった。
【０００３】
また、下記特許文献１に示された均らし具は、金属製角パイプの両端部に円弧状壁面を有する端子を取り付けることにより金属製角パイプの両端部が地面に段差を生じさせることなく均一に均らせるようにしたものである。
【特許文献１】実公平２−４３１５１号公報
【考案の開示】
【考案が解決しようとする課題】
【０００４】
ところで、図４および図５に示したようなグラウンド整地具は、鋼材ａの接地部分が鋭利であると共に、引張棒ｂを曳く人の手の高さによって地面に対する該鋼材ａの食い込む角度が変化するので、グラウンドの土が削れてしまうことがあると共に、鋼材ａによって引きずられた土が常にグラウンドの周縁部で開放されることとなるので、グラウンドの中央部分の土が次第に少なくなり水たまりを生じさせるという問題があった。
また、特許文献１に示された均らし具は、本体が金属製角パイプからなり、その接地面が平坦に形成されているために、土が削れるおそれは少ないと云えるが、常に曳人の手の高さに合わせて本体に対する柄の取付角度を調整しないと地面に対し接地面を水平に保てないという問題がある。
【課題を解決するための手段】
【０００５】
本考案は上記課題を解決しようとするもので、請求項１に記載したグラウンド整地具は、引張棒の先端部に円柱形の丸太材を直交状に固着してなることを特徴とする。
また、請求項２に記載した考案は、上記グラウンド整地具において引張棒と丸太材とをボルトにより着脱可能に固着したことを特徴とする。
【考案の効果】
【０００６】
引張棒を曳く角度が変わってもグラウンドの土を無用に削ってしまうようなおそれがないと共に、引きずってきた土が丸太材の外周円弧面によってグラウンドの窪みに積極的に押さえ込まれることにより理想的な整地ができる。
また、丸太材が摩耗した場合に交換が容易である。
【考案を実施するための最良の形態】
【０００７】
図１は本考案に係るグラウンド整地具の斜視図、図２はそのＡ−Ａ線断面図、図３は使用状態を示した側面図である。図中、１はスチール製の丸パイプからなる引張棒、２は該引張棒の先端部に直交状に固着した略円柱形の丸太材である。引張棒１はその先端部にスチール製のフラットバー３を溶接により直交状に固着すると共に、補強のため該引張棒１の両側にスチール製の丸棒４を筋交い状に溶接してなる。また、丸太材２はフラットバー３が面接触し得るように一側に平坦面５を形成すると共に、図２に示されるように、ボルト孔６と、ナット７が収まり得る丸孔８を一連に形成してなる。そして、フラットバー３に形成された一対のバカ孔９に夫々ボルト１０を挿通すると共に該ボルト１０を該丸太材２のボルト孔６に貫挿し、ナット７を該ボルト１０に螺合締結する。これにより丸太材２の一側面に引張棒１が強固に固着される。
【０００８】
なお、丸太材２は、例えば小、中学校、或いは高等学校等の運動場を整地するのに使用するものとしては、直径６〜１２ｃｍ、長さ５０〜１２０ｃｍ程度が好適である。また、丸太材２の重さは図３に示したように引張棒１部分を斜めにした状態で接地時の重量が３〜５ｋｇ程度となるものが好適である。このような丸太材は、山林から廃棄される間伐材に僅かに手を加えるだけでこのように加工することができるので、材料の入手が容易であり、安価に製作することができる。
【０００９】
このように構成したグラウンド整地具は、図３に示したように、引張棒１を人手、或いは牽引車により引っ張ってグラウンド上を移動することにより地面の起伏を平らに均すことができるものであるが、丸太材２の重みで該丸太材２の外周円弧面が地面を押圧するため、該丸太材２によって引きずられた土が地面の窪みに遭遇するとその円弧面によってその土が圧下され、その土を窪みに積極的に充填させる。即ち、丸太材２は地面を円弧面によって押圧するものであるので、単に地面を平らに均すだけでなく、地表面の土を積極的に押さえ込む作用がある。
【００１０】
また、地面と引張棒１との角度αが人の背丈、或いは牽引車の高さ等によって変わっても、地面に対して常に丸太材２の外周円弧面が変化無く押圧し、丸太材２の重量によってその押圧力も略々一定に維持されるので、従来のように表層の土を無用に削ってしまうようなおそれがない。このため、グラウンドの中央部分の土が少なくなり、水たまりを生じさせるようなおそれがなく、グラウンドを常に理想的な状態に保つことができる。
【００１１】
また、使用によって丸太材２の接地部分が摩耗した場合には、引張棒１を図３中破断線で示したように反転させ反対方向に該引張棒を曳くことで常に丸太材２の反対側の円弧面が地面に接するようにすることができるので、上記のような特有の作用を伴った使用態様を長期にわたり採ることができる。
また、丸太材２がこのような使用によって全面的に摩耗した場合にはボルト１０を外すことにより新しい丸太材に簡単に交換することができるので、従来では廃棄処分されていた間伐材を使用現地にて僅かに手を加えるだけで有効利用することができる。
【図面の簡単な説明】
【００１２】
【図１】本考案に係るグラウンド整地具の斜視図。
【図２】図１のＡ−Ａ線断面図。
【図３】本考案に係るグラウンド整地具の使用状態を示した側面図。
【図４】従来のグラウンド整地具の斜視図。
【図５】従来のグラウンド整地具の斜視図。
【符号の説明】
【００１３】
１    引張棒
２    丸太材
１０  ボルト
α    引張棒を曳く角度
【図１】
0003111091.tif 000003
【図２】
0003111091.tif 000004
【図３】
0003111091.tif 000005
【図４】
0003111091.tif 000006
【図５】
0003111091.tif 000007